【事件の表示】
　平成　９年特許願第３０２８０９号「光ディスク装置」拒絶査定不服審判事件〔平成１１年　５月２８日出願公開、特開平１１−１４４４３８〕について、次のとおり審決する。
【結　論】
　本件審判の請求は、成り立たない。
【理　由】
１．手続の経緯
　本願は、平成９年１１月５日の出願であって、平成１４年１１月２５日付けで拒絶査定がなされ、平成１５年１月１５日に拒絶査定に対する審判請求がなされるとともに、同日に手続補正がなされたものである。
　
２．平成１５年１月１５日付けの手続補正についての補正却下の決定
　
　［補正却下の決定の結論］
　平成１５年１月１５日付けの手続補正を却下する。
　
　［理由］
（１）補正後の本願発明
　本件補正により、特許請求の範囲の請求項１は、
「複数の光ディスクを交換しドライブ可能な光ディスクチェンジャシステムが構成された光ディスク装置において、
　光ピックアップと該光ピックアップを移動させる移動手段と、前記光ディスクを回転させる回転手段とから構成されたドライブユニット部と、
　前記ドライブユニット部を前記光ディスクと同じ平面上で平行移動させる平行移動手段と、
　前記ドライブユニット部を前記光ディスクと同じ平面上で回動させる回動手段と、
　前記光ディスクの交換時に前記ドライブユニット部を所定の位置まで平行移動させ、さらに回動させて前記光ディスクの交換のための移動エリアから該ドライブユニット部を退避させるように前記平行移動手段と前記回動手段を制御する退避制御手段とからなり、
ディスクの交換のために前記ドライブユニット部が光ディスクの交換のための移動エリアから退避した状態で、前記ドライブユニット部の本体部に設けられた凹部内に光ディスクの外周部が位置するように設定されていることを特徴とする光ディスク装置。」
と補正された。
　
　上記補正は、請求項１に記載した発明を特定するために必要な事項である「本体部に凹部を設けたドライブユニット部」について、「ディスクの交換のために前記ドライブユニット部が光ディスクの交換のための移動エリアから退避した状態で、前記ドライブユニット部の本体部に設けられた凹部内に光ディスクの外周部が位置するように設定されている」との限定付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶理由に引用された、本願の出願日前の他の出願であって、その出願後に出願公開された、特願平８−２７７１５８号（特開平１０−１０６１１３号）の願書に最初に添付された明細書又は図面（以下、「先願明細書」という。）には、図面とともに、
「【特許請求の範囲】
　【請求項１】複数枚のディスクが同軸となるよう、それぞれのディスクを保持する複数のディスク保持部材と、
前記複数のディスク保持部材をディスク面に対し垂直方向に移動させるディスク保持部材移動手段と、
前記複数のディスク保持部材のうち選択された一のディスク保持部材とディスク挿脱位置との間でディスクを移送するディスク移送手段と、
前記ディスクを再生すべく少なくとも光学ピックアップ及びターンテーブルを備えた再生手段と、
前記ターンテーブルが前記ディスク保持部材に収納されたディスクとオーバーラップしない待避位置、前記ディスク保持部材に収納されたディスクの中心に前記ターンテーブルの回転中心が略整列した再生位置及び前記待避位置と再生位置との間に位置し、前記ターンテーブルにチャッキングされたディスクが前記ディスク保持部材と非接触状態となるディスク引き出し位置の３位置の間で前記再生手段を同一平面内で移動させる再生手段移動機構とからなることを特徴とするチェンジャー型ディスク再生装置。
　【請求項２】前記再生手段移動機構は、前記ターンテーブルを前記待避位置とディスク引き出し位置との間を回転移動により、また前記ディスク引き出し位置と再生位置との間を平行移動させることを特徴とする請求項１に記載のチェンジャー型ディスク再生装置。」
「【０００１】
　【産業上の利用分野】本発明は、複数のディスクを選択的に再生可能なチェンジャー型ディスク再生装置に関する。
　【０００２】
　【従来の技術】装置の小型化のため、同軸状に配置された複数枚のディスクの間に光学ピックアップやターンテーブルを水平移動させ、選択されたディスクをその収納位置から引き出すことなく再生可能なチェンジャー型ディスク再生装置が特開平３−２３５２４８号、特開平６−３６４３６号、特開平７−１６９１６８号等において提案されている。
　【０００３】これら従来例においては、それぞれ１枚のディスクを載置する複数の載置板を有し、装置に着脱可能なマガジンを使用する。このマガジンは装置外にあるときはロック機構によりそれぞれの載置板が互いに分離しないようロックされているが、装置内に収納された際、装置に設けられた所要のロック解除機構によりロック機構を解除する。これにより、ディスク再生時には載置板をディスク面と垂直方向に移動させることにより大きなスペースを形成し、待避位置に位置しているターンテーブル、光学ピックアップ等の再生機構をこのスペース内に移動することにより、ディスクをマガジンから引き出すことなく再生することが可能となる。」
「【０００６】
　【発明が解決しようとする課題】ここで、ディスクの再生時においてはディスクホルダとディスクとを非接触状態とする必要がある。そのため、一旦ディスクホルダからディスクを引き出し、ディスクホルダを再生時のディスクと接触しないよう、上下何れかに移動させる必要がある。ここで、ローディング機構によりディスクホルダに装着されたディスクを垂直移動させてターンテーブルにチャッキングさせる方式においては、チャッキング後のディスクの高さがローディング時における高さと異なるため、ローディング機構をチャッキング後の高さに垂直移動させる必要があり、構造が複雑化してしまう。
　【０００７】また、ディスクホルダに装着されたディスクを移動させず、ターンテーブルを垂直移動させることでチャッキング動作を達成することも可能であるが、再生機構を水平方向だけでなく、垂直方向に移動させる必要があり、構造が複雑化してしまう欠点があった。
　【０００８】
　【課題を解決するための手段】本発明は上述の課題を解決するための手段として、複数枚のディスクが同軸となるよう、それぞれのディスクを保持する複数のディスク保持部材と、複数のディスク保持部材をディスク面に対し垂直方向に移動させるディスク保持部材移動手段と、複数のディスク保持部材のうち選択された一のディスク保持部材とディスク挿脱位置との間でディスクを移送するディスク移送手段と、ディスクを再生すべく少なくとも光学ピックアップ及びターンテーブルを備えた再生手段と、ターンテーブルがディスク保持部材に収納されたディスクとオーバーラップしない待避位置、ディスク保持部材に収納されたディスクの中心にターンテーブルの回転中心が略整列した再生位置及び待避位置と再生位置との間に位置し、ターンテーブルにチャッキングされたディスクがディスク保持部材と非接触状態となるディスク引き出し位置の３位置の間で再生手段を同一平面内で移動させる再生手段移動機構とからなる」
「【００１０】
　【実施例】以下に本発明を５枚のディスクを収納可能なチェンジャー型ディスク再生装置に適用した実施例をもって説明する。」
「【００１８】図１において、ディスクを載置するターンテーブル６１を回転駆動するスピンドルモータ６２（図１においては示されない）はメカシャシ６３に固定配置されている。このターンテーブル６１はセルフチャッキング型と呼ばれ、ディスクをターンテーブル６１との間でクランプするためのクランパを必要としないものが採用される。またこのメカシャシ６３上にはスレッドモータ６４によって回転駆動される送りネジ６５の回転に伴いディスクの内周と外周との間を移動可能とされた光学ピックアップ６６が配置されている。周知のごとく、ディスクをターンテーブル６１によって回転しつつ光学ピックアップ６６から出射されるレーザー光をディスクに照射し、その反射光を読み取ることでディスクに記録されている情報を再生するものであり、少なくともターンテーブル６１及び光学ピックアップ６６をもって再生手段が構成される。
　【００１９】メカシャシ６３上には光学ピックアップ６６が平行に移動するようガイドレール６７が設けられ、光学ピックアップ６６の移動をガイドしている。メカシャシ６３はその一端に設けられた軸６８を中心に、図１に示す位置から反時計方向に４５度回転可能であると共に、この回転した位置から矢印Ｆ方向に平行移動可能とされており、モータ等からなる所要のメカシャシ駆動機構８６によってその移動が制御される。よって、軸６８及びメカシャシ駆動機構８６が上述の再生手段を移動させる再生手段移動機構を構成する。」
「【００３１】ここで、メカシャシ６３は図１〜図３に示す待避位置において、フロントパネル２とディスクホルダ１１〜１５に保持されたディスクとの間にターンテーブル６１が位置するよう配置されている。上述のごとく、ディスク７１の再生のため、ディスクホルダ１１に収納されたディスク７１は一旦図６に示すディスク引き出し位置まで引き出されるため、ディスクホルダ１１〜１５はフロントパネル２に近接して配置することができず、フロントパネル２との間に所要の間隔を設ける必要がある。
　【００３２】しかしながら、本実施例においては、この空間にメカシャシ６３を配置し、特に待避位置とされたターンテーブル６１が図２から図３にディスク７１が移送されることにより形成される占有平面領域内において、ディスクホルダ１１〜１５に収納されたディスクとオーバーラップしない位置に位置されている。従って、待避位置とされたターンテーブル６１のための空間を別途確保する必要がないため、装置の横幅方向（図１におけるＤ−Ｅ方向）及び奥行き方向（図１におけるＦ−Ｇ方向）における装置１の小型化に寄与する。
　【００３３】ディスク７１の再生終了後、他のディスク７２をディスクホルダ１２に収納する動作を以下に説明する。図５、図１３及び図２７に示すディスク７１の再生が終了後、メカシャシ駆動機構８６によりメカシャシ６３を図５における矢印Ｇ方向に移動させ、図６、図１２及び図２６に示すように、ディスク７１をディスク引き出し位置に移動させる。その後、ディスクホルダ１１を位置Ｐ５から図１１及び図２５に示す位置Ｐ７（図７参照）まで下降させるため、円筒カム３１のみを円筒カム駆動機構８２により反時計方向に３６０度回転させるが、この時、円筒カム３２は回転しない。この回転により、ディスクホルダ１１はディスク７１とその高さ位置が整列される。
　【００３４】この状態から、メカシャシ駆動機構８６によりメカシャシ６３を矢印Ｆ方向に移動させることにより、図５、図１０及び図２４に示すようにディスク７１の周縁がディスクホルダ１１に挿入される。その後、円筒カム３１のみを時計方向に１８０度回転させて、ディスクホルダ１１を図７における位置Ｐ７からＰ６に移動させ、図９及び図２３に示すようにディスク７１を上昇させると共に、ターンテーブル６１とディスク７１とのチャッキングを解除する。更に、メカシャシ駆動機構８６により、メカシャシ６３を図５に示す再生位置から図４に示す位置を経由して図３に示すごとく、ディスクの垂直移動を妨げない待避位置まで移動させる。
　【００３５】その後、円筒カム駆動機構８２により円筒カム３１のみを反時計方向に１８０度回転させ、図１０に示すごとくディスクホルダ１１を一旦位置Ｐ７に戻した後、円筒カム駆動機構８２、８３により円筒カム３１及び３２を共に３６０度時計方向に回転させることにより、位置Ｐ７にあるディスクホルダ１１を位置Ｐ５に、位置Ｐ８にあるディスクホルダ１２を位置Ｐ７に、位置Ｐ９にあるディスクホルダ１３をＰ８に、位置Ｐ１０にあるディスクホルダ１４を位置Ｐ９に、位置Ｐ１１にあるディスクホルダ１５を位置Ｐ１０にそれぞれ上昇させる（図７参照）。このディスクホルダ１１の上昇に伴って、ターンテーブル６１とディスク７１とのチャッキングが解除される。この状態を図１４に示す。
　【００３６】図１４に示す状態から円筒カム３２を回転させずに円筒カム駆動機構８２により円筒カム３１のみを更に１８０度時計方向に回転させることにより、ディスクホルダ１２が位置Ｐ７からＰ６まで移動される（図７参照）。これにより、ディスクホルダ１２はフロントパネル２に形成されたスリット３と高さ方向において整列される。この状態を図１５及び図２８に示す。
　【００３７】この状態から図１に示すように、ベルト駆動機構４０の駆動ベルト４５とガイド機構５０のガイド壁５３との距離がディスクの直径より狭い位置まで移動される。その後、ディスク７２がスリット３からローディングされ、上述と同様にディスク７２がディスクホルダ１２に保持された状態を図１６及び図２９に示す。
　【００３８】その後、ディスク７２を再生する場合は、メカシャシ６３を移動させた後（図３０）、第２の円筒カム３２を回転させることなく第１の円筒カム３１のみを１８０度反時計方向に回転させてディスク７２をターンテーブル６１にチャッキングし（図１７、図３１）、メカシャシ６３を移動させてディスクホルダ１２からディスク７２を引き出した後（図１８、図３２）、第２の円筒カム３２を回転させることなく第１の円筒カム３１のみを３６０度時計方向に回転させてディスクホルダ１２を図７における位置Ｐ５、ディスクホルダ１１を位置Ｐ４に移動させた後（図１９、図３３）、メカシャシ６３を移動させて再生状態とする（図２０、図３４）。
　【００３９】上述の説明のごとく、第２の円筒カム３２が回転することなく第１の円筒カム３１のみが回転する場合と、共に同一角度範囲、回転する場合を取り得る。即ち、ディスクの再生中、当該ディスクに対応するディスクホルダは位置Ｐ５（図７参照）に位置しているが、この位置から再生後のディスクをディスクホルダに装着するためにディスクホルダを再生位置と高さ方向に整列する位置Ｐ７まで移動する際、円筒カム３２は回転しないように制御される。また同様に、ローディングされたディスクを再生する場合においても、ローディング面と高さ方向に整列している位置Ｐ６からチャッキング位置と整列した位置Ｐ７まで移動する際にも同様に第１の円筒カム３１のみが反時計方向に回転駆動される。」
「【００４０】一方、装置１内に全てディスクが収納されている状態において、例えば第１のディスクホルダ１１に装着されたディスク７１の再生終了後、上から４番目に位置する第４のディスクホルダ１４に装着されたディスクを再生する場合においては、円筒カム３１及び３２を共に時計方向に回転させて、ディスクホルダ１１が位置Ｐ３、ディスクホルダ１２が位置Ｐ４、ディスクホルダ１３が位置Ｐ５、ディスクホルダ１４が位置Ｐ７、ディスクホルダ１５が位置Ｐ８（図７参照）に位置した後、円筒カム３１のみによってディスクホルダ１４が位置Ｐ７からＰ６に移動させ、その後、Ｐ７及びＰ５に時系列的に移動するよう制御する。
　【００４１】従って、円筒カム３１と３２を分離することにより、再生すべきディスクを装着したディスクホルダを再生位置に整列した位置Ｐ７まで移動させた後、当該ディスクホルダの下側に位置するディスクホルダ及びこれに装着されたディスクを移動させることなく、当該ディスクホルダを位置Ｐ５まで移動させることができるため、再生しようとするディスクの下側に十分なクリアランスを得ることができる。
　【００４２】なお、上述の実施例における再生手段移動機構は、ターンテーブル６１及び光学ピックアップ６６等が配置されたメカシャシ６３を反時計方向に４５度回転させた後、平行移動させることにより、ターンテーブル６１がディスクとオーバーラップしない待避位置からディスク再生位置まで移動させるものであるが、本発明はこれに限定されることなく、再生手段移動機構の構成によっては種々の移動方法を取り得る。」
との記載が認められ、
　第１図〜第６図におけるメカシャシ６３には凹部はなく、図３のディスクの垂直移動を妨げないメカシャシの待避位置では、メカシャシにディスクの外周部が位置するように図示されている。
　
　これらの記載及び図面を総合し、特に、【００３３】乃至【００３９】のディスク７１の再生終了後、ディスク７２を再生する場合、及び【００４０】乃至【００４２】の第１のディスクホルダに装着されたディスクから第４のディスクホルダに装着されたディスクを再生する場合を参照すれば、先願明細書には、次の発明が記載されていると認められる。
　
「複数枚のディスクが同軸となるよう、それぞれのディスクを装着する複数のディスクホルダと、
　複数のディスクホルダをディスク面に対し垂直方向に移動させるディスクホルダ移動手段と、
　スレッドモータによって回転駆動される送りネジの回転に伴いディスクの内周と外周との間を移動可能とされた光学ピックアップ及びディスクを載置するターンテーブルを回転駆動するスピンドルモータを備えたメカシャシと、
　ターンテーブルがディスクホルダに収納されたディスクとオーバーラップしない待避位置、ディスクホルダに収納されたディスクの中心にターンテーブルの回転中心が略整列した再生位置及び待避位置と再生位置との間に位置し、ターンテーブルにチャッキングされたディスクがディスクホルダと非接触状態となるディスク引き出し位置の３位置の間で、メカシャシを同一平面内で移動させるメカシャシ駆動機構とからなり、
　メカシャシ駆動機構は、ディスクを交換して再生するために、メカシャシを待避位置とディスク引き出し位置との間を回転移動により、またディスク引き出し位置と再生位置との間を平行移動させ、メカシャシをディスクとオーバーラップしない待避位置へ待避させるように制御するチェンジャー型ディスク再生装置。」
　
（３）対比
　そこで、本願補正発明と先願明細書に記載された発明とを対比する。
　先願明細書に記載された発明の「チェンジャー型ディスク再生装置」は、本願補正発明の「複数の光ディスクを交換しドライブ可能な光ディスクチェンジャシステムが構成された光ディスク装置」に相当し、両者は、「光ディスク装置」の発明で一致し、
　先願明細書に記載された発明の「スレッドモータによって回転駆動される送りネジの回転に伴いディスクの内周と外周との間を移動可能とされた光学ピックアップ」「ディスクを載置するターンテーブルを回転駆動するスピンドルモータ」「メカシャシ」は、それぞれ本願補正発明の「光ピックアップと該光ピックアップを移動させる移動手段」「光ディスクを回転させる回転手段」「ドライブユニット部」相当する。
　先願明細書に記載された発明の「メカシャシ」の同一平面内の「回転移動」及び「水平移動」は、本願補正発明の「ドライブユニット部を光ディスクと同じ平面上で平行移動させる平行移動手段」及び「ドライブユニット部を光ディスクと同じ平面上で回動させる回動手段」に実質的に相当する。
　先願明細書に記載された発明の「ディスクを交換して再生」するための空間は、本願補正発明の「光ディスク交換のための移動エリア」に相当する。
　先願明細書に記載された発明の「メカシャシ駆動機構」は、「メカシャシ」をディスクの交換のために回転移動及び平行移動させているから、本願補正発明の光ディスクの交換時にドライブユニット部を所定の位置まで平行移動させ、さらに回動させて光ディスクの交換のための移動エリアからドライブユニット部を退避させるように平行移動手段と回動手段を制御する「待避制御手段」に相当する。
　先願明細書に記載された発明の「メカシャシ」の「待避位置」は、本願補正発明の「ディスクの交換のためにドライブユニット部が光ディスクの交換のための移動エリアから退避した状態」に相当する。
　先願明細書に記載された発明の「メカシャシ」が待避位置にあるとき、「ディスク」は「メカシャシ」とオーバーラップしないから、本願補正発明の「光ディスク」の外周部が「ドライブユニット部」に位置する点で一致する。
　
　以上のことから、先願明細書に記載された発明と本願補正発明は、
「複数の光ディスクを交換しドライブ可能な光ディスクチェンジャシステムが構成された光ディスク装置において、
　光ピックアップと該光ピックアップを移動させる移動手段と、光ディスクを回転させる回転手段とから構成されたドライブユニット部と、
　ドライブユニット部を光ディスクと同じ平面上で平行移動させる平行移動手段と、
　ドライブユニット部を光ディスクと同じ平面上で回動させる回動手段と、
　光ディスクの交換時にドライブユニット部を所定の位置まで平行移動させ、さらに回動させて光ディスクの交換のための移動エリアからドライブユニット部を退避させるように平行移動手段と回動手段を制御する退避制御手段とからなり、
　ディスクの交換のためにドライブユニット部が光ディスクの交換のための移動エリアから退避した状態で、ドライブユニット部の本体部に光ディスクの外周部が位置するように設定されている光ディスク装置。」で一致し、
　
　次の点で一応相違する。
　本願補正発明においては、ドライブユニット部の本体部に設けられた凹部内に光ディスクの外周部が位置するのに対して、先願明細書に記載された発明では、メカシャシに凹部を設けられることが開示されていない点。
　
（４）判断
　上記相違点について検討すると、
　光ディスク装置において、装置の構成要素が光ディスクと無用な干渉を生じないように設計することは当然のことにすぎないところ、本願補正発明において、ドライブユニット部の本体部に凹部を設け、当該凹部内に光ディスクの外周部が位置する構成としたことは、単にドライブユニット部の本体部を光ディスク外周部から避ける形状としたもので、光ディスクの外周形状に対応して必然的に凹部形状となったにすぎない。現に、このように光ディスク外周部に位置するドライブユニット部の本体部を凹部のある形状とすることで、当該凹部形状内に光ディスク外周部が位置するようにすることは、例えば、特開平３−２３５２５４号公報（可動担持部材９８の形状）、特開平６−２３１５２６号公報（アーム体６９の形状）、特開平３−２３５２４８号公報（可動担持部材９８の形状）等において周知事項にすぎない。すると、上記相違点は、周知の技術手段の転換であって新たな効果を奏するものではないから、単なる周知の技術手段の転換に相当する。
　
　したがって、本願補正発明は、先願明細書に記載された発明と実質的に同一であり、しかも、本願発明の発明者が上記先願明細書に記載された発明の発明者と同一であるとも、また、本願の出願時に、その出願人が上記他の出願の出願人と同一であるとも認められないので、本願発明は、特許法第２９条の２第１項の規定により特許を受けることができないものである。
　
（５）むすび
　以上のとおり、本件補正は、平成１５年改正前特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１５年１月１５日付けの手続補正は上記のとおり却下されたので、本願の請求項１乃至３に係る発明は、平成１４年８月２９日付け手続補正書の特許請求の範囲の請求項１乃至３に記載された事項により特定されるとおりと認められるところ、請求項１に係る発明（以下、同項記載の発明を「本願発明」という。）は、以下のとおりのものである。
　
「複数の光ディスクを交換しドライブ可能な光ディスクチェンジャシステムが構成された光ディスク装置において、
　光ピックアップと該光ピックアップを移動させる移動手段と、
　前記光ディスクを回転させる回転手段とから構成され、本体部に凹部を設けたドライブユニット部と、
　前記ドライブユニット部を前記光ディスクと同じ平面上で平行移動させる平行移動手段と、
　前記ドライブユニット部を前記光ディスクと同じ平面上で回動させる回動手段と、
　前記光ディスクの交換時に前記ドライブユニット部を所定の位置まで平行移動させ、さらに回動させて前記光ディスクの交換のための移動エリアから該ドライブユニット部を退避させるように前記平行移動手段と前記回動手段を制御する退避制御手段とからなることを特徴とする光ディスク装置。」
　
（１）引用例
　原査定の拒絶の理由に引用された引用例、および、その記載事項は、前記「２．（２）」に記載したとおりである。
　
（２）対比・判断
　本願発明は、前記２．で検討した本願補正発明から「本体部に凹部を設けたドライブユニット部」の限定事項である「ディスクの交換のために前記ドライブユニット部が光ディスクの交換のための移動エリアから退避した状態で、前記ドライブユニット部の本体部に設けられた凹部内に光ディスクの外周部が位置するように設定されている」との構成を省いたものである。
　そうすると、本願発明の構成要件を全て含み、さらの他の構成要件を付加したものに相当する本願補正発明が、前記「２．（４）」に記載したとおり、先願明細書に記載された発明と実質的に同一であり、しかも、本願の請求項１に係る発明の発明者が上記先願明細書に記載された発明の発明者と同一であるとも、また、本願の出願時に、その出願人が上記他の出願人と同一であるとも認められないのであるから、本願発明も同様の理由により本願発明（請求項１に係る発明）は、特許法第２９条の２の規定によって特許を受けることができない。
　
（３）むすび
　以上のとおり、本願発明は、前記先願明細書に記載された発明と実質的に同一であり、しかも、本願発明の発明者が先願明細書に記載された発明の発明者と同一ではなく、また、本願出願時に、その出願人が前記先願の出願人と同一でもないので、特許法第２９条の２の規定により、特許を受けることができない。その余の請求項に係る発明について検討するまでもなく、本願は、拒絶すべきものである。
　よって、結論のとおり審決する。